(57)【要約】【課題】インジケータ表示部の表示数を増やすことなく動作状態および設定状態を表示することができるガスメータを提供すること。【解決手段】制御手段８と、インジケータ表示手段７と、外部通信手段９とを備え、前記制御手段８が判定する動作状態Ａと、前記外部通信手段９を経由して設定される設定状態ａとを組み合わせによって前記インジケータ表示手段７に点灯表示または点滅表示する。【選択図】図１
2020106486.tif 000002
【特許請求の範囲】
【請求項１】
ガスの通路を遮断する遮断弁と、ガスの流れを計測する流量計測手段と、前記流量計測手段が計測する流量に基づく積算流量の積算表示手段と、複数個の表示部から構成しそれぞれが独立した表示を行うインジケータ表示手段と、所定の操作を行う操作手段と、外部装置との通信を行う通信手段と、を有するガスメータであって、
前記インジケータ表示手段は、ひとつの表示部に対して、予め定めた特定の動作状態か否かを指示する第１の表示指示手段による表示と、予め定めた特定の設定状態か否かを指示する第２の表示指示手段による表示との何れか或いは両方を表示するように表示を切り替えるインジケータ表示切替え手段を備えたガスメータ。
【請求項２】
前記第１の表示指示手段は点灯表示または消灯表示を指示し、前記第２の表示指示手段は点滅表示または消灯表示を指示するようにした請求項１に記載のガスメータ。
【請求項３】
前記第１の表示指示手段と前記第２の表示手段の両方の表示指示が重なる場合は、前記第２の表示指示手段の点滅表示とは異なる点滅パターンで表示するようにした請求項１または２に記載のガスメータ。
【発明の詳細な説明】
【技術分野】
【０００１】
ガスメータの各種の動作状態等を専用に表示するインジケータ表示に関するものである。
【背景技術】
【０００２】
従来、この種のガスメータは、ガス流量を計量する流量計測機能と、ガス流量およびガスメータの使用状態を監視して、異常時には遮断するブレーカ機能と、ガスメータの様々な動作状態の確認や判定値などを設定するために外部装置を介して送受信する通信機能とを有している（例えば、特許文献１参照）。
【０００３】
図５は、特許文献１に記載の従来のガスメータの概略的正面図である。図５において、ガスメータ１０１と、内蔵するガス流量を測定する流量測定手段（図示せず）によって計測されたガス流量の使用量を積算する指針値表示手段１０２と、液晶式の表示手段１０３と、内蔵する遮断弁（図示せず）を開栓するための復帰ボタン１０４とから構成されている。
【０００４】
液晶式の表示手段１０３は、ガスの圧力を表示するための表示部１０３Ａと、ガスメータ１０１の動作中の状態を表示するための動作状態表示部１０３Ｂと、口火の有無や漏洩圧力の検知の有無や、口火の有無等に応じたガスメータ１０１の動作パターンを設定するための動作パターン設定表示部１０３Ｃとから構成されている。
【先行技術文献】
【特許文献】
【０００５】
【特許文献１】特開２０００−２０５９１８号公報
【発明の概要】
【発明が解決しようとする課題】
【０００６】
しかしながら、前記従来の構成では、予め定めた動作状態を表示するため、表示の意味を示す専用の表示プレートまたは表示シールを使用しているため、これらの表示プレートまたは表示シールが紛失したり、汚れ等により表示内容が見えにくくなったりすることがあり、その場合、内部情報を読み取る装置（例えば、設定器など）を持たない作業者には動作状態等が分からなくなってしまうという課題を有していた。
【０００７】
本発明は、前記従来の課題を解決するもので、専用の表示プレートまたは表示シールの省略化及び、内部の動作や設定状態が分からなくならないようにするガスメータを提供することを目的とする。
【課題を解決するための手段】
【０００８】
前記従来技術の課題を解決するために、本発明のガスメータは、ガスの通路を遮断する遮断弁と、ガスの流れを計測する流量計測手段と、前記流量計測手段が計測する流量に基づく積算流量の積算表示手段と、複数個の表示部から構成しそれぞれが独立した表示を行うインジケータ表示手段と、所定の操作を行う操作手段と、外部装置との通信を行う通信手段と、を有するガスメータであって、前記インジケータ表示手段は、ひとつの表示部に対して、予め定めた特定の動作状態か否かを指示する第１の表示指示手段による表示と、予め定めた特定の設定状態か否かを指示する第２の表示指示手段による表示と、の何れか或いは両方を表示するように表示を切り替えるインジケータ表示切替え手段を設けたものである。
【０００９】
これによって、インジケータ表示手段のそれぞれ表示部に対して、予め割り当てた内部の動作状態および設定状態を的確に表示できるようになる。
【発明の効果】
【００１０】
本発明のガスメータは、複数個の表示部から構成しそれぞれが独立した表示を行うインジケータ表示手段に対して、予め割り当てた内部の動作状態および、設定状態を的確に表示することができるようになり、専用の表示プレートまたは表示シールの省略化及び、作業者の点検作業等を効率的に実施することができる。
【図面の簡単な説明】
【００１１】
【図１】本発明の実施の形態１におけるガスメータのブロック図
【図２】本発明の実施の形態１におけるガスメータの表示部のイメージ図
【図３】（１）、（２）本発明の実施の形態１におけるインジケータ表示パターンを示す図
【図４】本発明の実施の形態１における概略フローチャート
【図５】従来の技術のガスメータの概略的正面図
【発明を実施するための形態】
【００１２】
第１の発明は、ガスの通路を遮断する遮断弁と、ガスの流れを計測する流量計測手段と、前記流量計測手段が計測する流量に基づく積算流量の積算表示手段と、複数個の表示部から構成しそれぞれが独立した表示を行うインジケータ表示手段と、所定の操作を行う操作手段と、外部装置との通信を行う通信手段と、を有するガスメータであって、前記インジケータ表示手段は、ひとつの表示部に対して、予め定めた特定の動作状態か否かを指示する第１の表示指示手段による表示と、予め定めた特定の設定状態か否かを指示する第２の表示指示手段による表示との何れか或いは両方を表示するように表示を切り替えるインジケータ表示切替え手段を備えたもので、インジケータ表示手段の表示数を増やすことなく動作状態および設定状態を表示することができる。
【００１３】
また、同一表示部において、対象設定項目に対する設定有無および設定数について、表示内容を確認することにより容易に把握することができ、ガスメータ設置等での設定作業や現場確認の作業性を向上することができる。
【００１４】
第２の発明は、第１の発明において、前記第１の表示指示手段は点灯表示または消灯表示を指示し、前記第２の表示指示手段は点滅表示または消灯表示を指示するようにしたものである。
【００１５】
第３の発明は、第１または２の発明において、前記第１の表示指示手段と前記第２の表示手段の両方の表示指示が重なる場合は、前記第２の表示指示手段の点滅表示とは異なる点滅パターンで表示するようにしたものである。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるガスメータのブロック図を示すものである。
【００１８】
図１において、ガスメータ１は、ガスを遮断する遮断弁２と、ガス流量を計測する流量計測手段３と、遮断弁２の開栓を行う復帰手段４と、遮断弁２を強制的に遮断する強制遮断手段５、各種の表示を行う表示手段６と、インジケータ表示手段７、遮断弁２及び各手段を制御する制御手段８、外部との通信を行う外部通信手段９で構成されている。
【００１９】
図２は、本発明の第１の実施の形態におけるガスメータの表示部のイメージを示すものである。
【００２０】
図２において、例えば液晶により構成された表示手段６は、ガスの使用量を表示する指針値表示部１１と、ガスメータの異常状態を表示する事象表示部１３と、ガスメータの特に重要な動作状態を表示するインジケータ表示部１２とから構成されている。
【００２１】
図３は、本発明の実施の形態１におけるインジケータ表示パターンを示すものである。図３（１）は１つのインジケータ表示に対して、１つの動作状態と１つの設定状態を表示するときの表示パターンを示すもので、図３（２）は１つのインジケータ表示に対して、１つの動作状態と２つの設定状態を表示するときの表示パターンを示すものである。
【００２２】
ここで、動作状態とは、出荷時の遮断状態や、ガス漏れのようにガスメータ１で検知される異常、復帰動作に失敗した状態等の状態であり、設定状態とは、ガスの使用時間を監視する機能の有効／無効や、所定の保安機能の有効／無効のようにガスメータ１に設定された機能の状態を意味している。
【００２３】
図４は、本発明の実施の形態１における概略フローチャートを示すものである。
【００２４】
以下、図１から図４を用いて、インジケータ表示部の表示の動作について説明する。
【００２５】
図３（１）において、動作状態Ａの一事例としてガス漏れ判定、設定状態ａの一事例としてガスの使用時間を監視する機能の有効／無効の設定を事例に説明する。なお、ガスの使用時間を監視する機能の有効／無効の設定において、機能を無効にする設定として、機能が有効であれば「オフ」、機能が無効であれば「オン」と定義して説明する。
【００２６】
先ず、動作状態Ａ（ガス漏れ）がなく、設定状態ａ（機能無効）がオフされている場合、ガスメータ１において、流量計測手段３でガス流量を計測し、制御手段８でガス漏れ判定を行う（ステップＳ１）。続いて制御手段８がガス漏れあり／なしと判定する（ステップＳ２）。次に、制御手段８がガス漏れなしと判定した場合、続いて、設定状態ａ（ガスの使用時間を監視する機能が無効か否か）を判定する（ステップＳ３）。そして、設定状態ａ（ガスの使用時間を監視する機能が無効か否か）が「オフ」（機能が有効）と判定されると、インジケータ表示手段７を消灯する（ステップＳ５）。
【００２７】
次に、動作状態Ａ（ガス漏れ）がなく、設定状態ａ（機能無効）がオンされている場合、ガスメータ１において、流量計測手段３でガス流量を計測し、制御手段８でガス漏れ判定を行う（ステップＳ１）。続いて、制御手段８がガス漏れあり／なしと判定する（ステップＳ２）。次に、制御手段８がガス漏れなしと判定した場合、続いて、設定状態ａ（ガスの使用時間を監視する機能が無効か否か）を判定する（ステップＳ３）。そして、設定状態ａ（ガスの使用時間を監視する機能が無効か否か）が「オン」（機能が無効）と判定されると、インジケータ表示手段７を点滅する（ステップＳ６）。ステップＳ６の点滅状態（点滅１）は、例えば、点灯時間：０．５秒／消灯時間：０．５秒とする。
【００２８】
次に、動作状態Ａ（ガス漏れ）があり、設定状態ａ（機能無効）がオフされている場合、ガスメータ１において、流量計測手段３でガス流量を計測し、制御手段８でガス漏れ判定を行う（ステップＳ１）。続いて、制御手段８がガス漏れあり／なしと判定する（ステップＳ２）。次に、制御手段８がガス漏れありと判定した場合、続いて、設定状態ａ（ガスの使用時間を監視する機能が無効か否か）を判定する（ステップＳ４）。そして、設定状態ａ（ガスの使用時間を監視する機能が無効か否か）が「オフ」（機能が有効）と判定されると、インジケータ表示手段７を点灯する（ステップ７）。
【００２９】
次に、動作状態Ａ（ガス漏れ）があり、設定状態ａ（機能無効）がオンされている場合、ガスメータ１において、流量計測手段３でガス流量を計測し、制御手段８でガス漏れ判定を行う（ステップＳ１）。続いて、制御手段８がガス漏れあり／なしと判定する（ステップＳ２）。次に、制御手段８がガス漏れありと判定した場合、続いて、設定状態ａ（ガスの使用時間を監視する機能が無効か否か）を判定する（ステップＳ４）。そして、設定状態ａ（ガスの使用時間を監視する機能が無効か否か）が「オン」（機能が無効）と判定されると、インジケータ表示手段７を点滅する（ステップ８）。ステップＳ８の点滅状態（点滅２）は、例えば、点灯時間：１秒／消灯時間：１秒とし、ステップＳ６の点滅状態（点滅１）とは異なる時間で点滅する。
【００３０】
以上のように、本実施の形態においては、ガスメータ１の動作状態Ａを監視し、動作状態Ａの有無と、設定状態ａのオン／オフとを一つのインジケータ表示部に表示することにより、動作状態Ａと設定状態ａが容易に確認できるようになり、ガスメータ設置等での設定作業や現場確認の作業性を向上することができる。
【００３１】
なお、点滅表示は、図３（２）に示すように、複数の設定状態（例えば、設定状態ｂと設定状態ｃ）を識別できるように表示時間を変えることで、点滅状態（点滅１〜点滅６）を定義するようにしてもよい。
【産業上の利用可能性】
【００３２】
以上のように、本発明にかかるガスメータは、インジケータ表示部の表示数を増やすことなく動作状態および設定状態を表示することができ、電気メータや水道メータの用途にも適用できる。
【符号の説明】
【００３３】
１  ガスメータ
２  遮断弁
３  流量計測手段
４  復帰手段
５  強制遮断手段
６  表示手段
７  インジケータ表示手段
８  制御手段
９  外部通信手段
【図１】
2020106486.tif 000003
【図２】
2020106486.tif 000004
【図３】
2020106486.tif 000005
【図４】
2020106486.tif 000006
【図５】
2020106486.tif 000007